(57)【特許請求の範囲】
【請求項１】
受信したテレビジョン信号を中間周波数帯の信号に周波数変換する混合器と、前記中間周波数帯の信号を増幅する中間周波増幅器と、前記混合器と前記中間周波増幅器との間に介挿された第一の並列共振回路とを備え、前記第一の並列共振回路は少なくともバラクタダイオードとインダクタンス素子とを有し、前記バラクタダイオードのカソードには所定のバイアス電圧を印加し、前記バイアス電圧を分圧して値の異なる複数の分圧電圧を出力する分圧回路を設け、前記分圧電圧のいずれかを前記バラクタダイオードのアノードに印加することにより前記バラクタダイオードの両端に複数の値の電圧のいずれかが印加可能に構成し、前記分圧回路は前記バイアス電圧が両端に印加された直列接続の二つの分圧抵抗と、エミッタが接地された複数のスイッチトランジスタとを有し、前記スイッチトランジスタのコレクタをそれぞれ抵抗を介して前記二つの分圧抵抗の接続点に接続し、前記電圧によって前記第一の並列共振回路の共振周波数を前記中間周波数帯の下側に隣接するチャンネルのいずれかのテレビジョンシステムの映像中間周波数の近傍に設定出来るようにしたことを特徴とするテレビジョンチューナ。
【請求項２】
前記共振周波数を前記下側に隣接するチャンネルの映像中間周波数よりも１ＭＨｚ以内で低くしたことを特徴とする請求項１に記載のテレビジョンチューナ。
【請求項３】
前記バラクタダイオードに並列にコンデンサを接続したことを特徴とする請求項１又は２に記載のテレビジョンチューナ。
【請求項４】
前記混合器と前記中間周波増幅器とを構成する集積回路を設け、前記集積回路には前記混合器の第一の出力端に結合された第一の出力端子と、前記中間周波増幅器の第一の入力端に結合された第一の入力端子と、前記バイアス電圧が印加される電圧端子とを設け、前記第一の並列共振回路を前記集積回路の外側に配設し、前記バラクタダイオードのアノードを前記第一の入力端子に接続すると共にカソードを前記第一の出力端子に接続し、前記集積回路内には前記電圧端子と前記第一の入力端子との間に接続された前記分圧抵抗の一方と、前記第一の入力端子とグランドとの間に接続された前記分圧抵抗の他方及び前記スイッチトランジスタと前記抵抗との直列回路と、前記第一の入力端子と前記中間周波増幅器の第一の入力端とを接続する結合コンデンサを設けたことを特徴とする請求項１に記載のテレビジョンチューナ。
【請求項５】
前記混合器は第二の出力端を有する平衡出力型の混合器で構成され、前記中間周波増幅器は第二の入力端を有する平衡入力型の増幅器で構成し、前記集積回路には前記第二の出力端に結合された第二の出力端子と前記第二の入力端に結合された第二の入力端子とを設け、前記集積回路の外部には前記中間周波数帯に同調する中間周波同調回路と前記中間周波数帯の上側に隣接するチャンネルにおける音声中間周波数に同調する第二の並列共振回路とを設け、前記中間周波同調回路を前記二つの出力端子間に接続し、前記第二の出力端子と前記第二の入力端子との間に前記第二の並列共振回路を介挿したことを特徴とする請求項４に記載のテレビジョンチューナ。
【請求項６】
前記バラクタダイオードに並列に接続されるコンデンサを前記集積回路内に構成し、前記第一の出力端と前記第一の入力端との間に接続したことを特徴とする請求項４又は５に記載のテレビジョンチューナ。
【発明の詳細な説明】
【０００１】
【発明の属する技術分野】
本発明は、テレビジョンチューナに関し、詳しくは、隣接するチャンネルの信号を中間周波数帯において除去することによって妨害を少なくしたテレビジョンチューナに関する。
【０００２】
【従来の技術】
従来のテレビジョンチューナの構成を図３によって説明する。集積回路３１内には混合器３２、中間周波増幅器３３が構成される。混合器３２は平衡回路で構成され、その平衡出力端は集積回路３１に設けた二つの出力端子３１ａ、３１ｂに接続される。そして、混合器３２には、図示しない同調回路によって選択されたテレビジョン信号ＲＦと、図示しない局部発振器から出力された局部発振信号Ｌｏとが入力され、中間周波数帯に周波数変換された信号が二つの出力端子３１ａ、３１ｂ間に出力される。
【０００３】
また、中間周波増幅器３３も平衡回路で構成され、その平衡入力端である初段のトランジスタ３３ａ、３３ｂのベースが集積回路３１に設けられた二つの入力端子３１ｃ、３１ｄに接続される。
【０００４】
集積回路３１の外部に設けられた中間周波同調回路３４は容量素子３４ａと、直列接続された二つのインダクタンス素子３４ｂ、３４ｃとからなる並列回路で構成され、出力端子３１ａ、３１ｂ間に接続される。そして、二つのインダクタンス素子３４ｂ、３４ｃの接続点に印加された電源電圧が混合器３２に給電される。
【０００５】
また、集積回路の外部には二つの並列共振回路３５、３６が設けられる。第一の並列共振回路３５はインダクタンス素子３５ａと容量素子３５ｂとの並列回路で構成され、一方の出力端子３１ａと一方の入力端子３１ｃとの間に結合される。
また、第二の並列共振回路３６もインダクタンス素子３６ａと容量素子３６ｂとの並列回路で構成され、他方の出力端子３１ｂと他方の入力端子３１ｄとの間に結合される。
【０００６】
以上の構成において、テレビジョンチューナを、例えば欧州仕向用のテレビジョン受信機に使用する場合には、中間周波数帯域は図４に示すように３３．１５ＭＨｚから４０．１５ＭＨｚまでとなるので（ＰＡＬ方式のＢ又はＧシステム）、同調回路３４の同調周波数を中間周波数帯における映像中間周波数（３８．９ＭＨｚ）と音声中間主波数（３３．４ＭＨｚ）との中間となるように設定する。また、第一の並列共振回路３５の共振周波数を、中間周波数帯に隣接する他のチャンネルの映像中間周波数（−Ｐ＝３１．９ＭＨｚ）に合わせ、第二の並列共振回路３６の共振周波数を、中間周波数帯に隣接する他のチャンネルの音声中間周波数（＋Ｓ＝４０．４ＭＨｚ）に合わせる。
【０００７】
以上のように、第一の並列共振回路３５と第二の並列共振回路３６との共振周波数をそれぞれ隣接する他のチャンネルの映像中間周波数と音声中間周波数に合わせることで隣接チャンネルの映像信号及び音声信号が減衰し、受信チャンネルに対する妨害が軽減する。従って、これら並列共振回路３５、３６はトラップ回路として機能している。
【０００８】
【発明が解決しようとする課題】
しかし、上記のようにトラップ回路として使用する並列共振回路の共振周波数は仕向先の方式あるいはシステムによって異なることで、テレビジョンチューナの機種も異なり、製造管理上の負担になっていた。
【０００９】
例えば、ＰＡＬ方式のＢシステムとＧシステムとを比較すると、Ｂシステムの中間周波数帯域幅が７ＭＨｚであるのに対して、Ｇシステムでは８ＭＨｚであり、そのため、下側に隣接する他のチャンネルの映像中間周波数は３０．９ＭＨｚとなり、Ｂシステムのそれよりも１ＭＨｚ低くなる。そのため、Ｂシステム用に設定した第一の並列共振周波数（３０．９ＭＨｚ）ではＧシステムの隣接する他のチャンネルの映像中間周波信号を十分に減衰することが出来ない。
他のＩシステムやＤあるいはＫシステムのテレビジョン信号を受信するときにも同様な問題が起きる。
従って、テレビジョンチューナはそれぞれの方式やシステムに対応して上記の共振周波数を設定する必要があった。
【００１０】
また、同じＰＡＬ方式にも中間周波数帯域幅や音声中間周波数が異なるＤシステムやＩシステムが採用されている国があり、居住国を変更すると、それまで使用していたテレビジョン受信機では十分な品質の映像を受信できないと言う問題もあった。
【００１１】
そこで、本発明は、テレビジョン放送の異なる方式やシステムに対しても簡単な設定によって隣接する他のチャンネルからの妨害を除去出来るようにすることを目的とする。
【００１２】
【課題を解決するための手段】
上記の課題を解決する手段として、本発明では、受信したテレビジョン信号を中間周波数帯の信号に周波数変換する混合器と、前記中間周波数帯の信号を増幅する中間周波増幅器と、前記混合器と前記中間周波増幅器との間に介挿された第一の並列共振回路とを備え、前記第一の並列共振回路は少なくともバラクタダイオードとインダクタンス素子とを有し、前記バラクタダイオードのカソードには所定のバイアス電圧を印加し、前記バイアス電圧を分圧して値の異なる複数の分圧電圧を出力する分圧回路を設け、前記分圧電圧のいずれかを前記バラクタダイオードのアノードに印加することにより前記バラクタダイオードの両端に複数の値の電圧のいずれかが印加可能に構成し、前記分圧回路は前記バイアス電圧が両端に印加された直列接続の二つの分圧抵抗と、エミッタが接地された複数のスイッチトランジスタとを有し、前記スイッチトランジスタのコレクタをそれぞれ抵抗を介して前記二つの分圧抵抗の接続点に接続し、前記電圧によって前記第一の並列共振回路の共振周波数を前記中間周波数帯の下側に隣接するチャンネルのいずれかのテレビジョンシステムの映像中間周波数の近傍に設定出来るようにした。
【００１３】
また、前記共振周波数を前記下側に隣接するチャンネルの映像中間周波数よりも１ＭＨｚ以内で低くした。
【００１５】
また、前記バラクタダイオードに並列にコンデンサを接続した。
【００１７】
また、前記混合器と前記中間周波増幅器とを構成する集積回路を設け、前記集積回路には前記混合器の第一の出力端に結合された第一の出力端子と、前記中間周波増幅器の第一の入力端に結合された第一の入力端子と、前記バイアス電圧が印加される電圧端子とを設け、前記第一の並列共振回路を前記集積回路の外側に配設し、前記バラクタダイオードのアノードを前記第一の入力端子に接続すると共にカソードを前記第一の出力端子に接続し、前記集積回路内には前記電圧端子と前記第一の入力端子との間に接続された前記分圧抵抗の一方と、前記第一の入力端子とグランドとの間に接続された前記分圧抵抗の他方及び前記スイッチトランジスタと前記抵抗との直列回路と、前記第一の入力端子と前記中間周波増幅器の第一の入力端とを接続する結合コンデンサを設けた。
【００１８】
また、前記混合器は第二の出力端を有する平衡出力型の混合器で構成され、前記中間周波増幅器は第二の入力端を有する平衡入力型の増幅器で構成し、前記集積回路には前記第二の出力端に結合された第二の出力端子と前記第二の入力端に結合された第二の入力端子とを設け、前記集積回路の外部には前記中間周波数帯に同調する中間周波同調回路と前記中間周波数帯の上側に隣接するチャンネルの音声中間周波数に同調する第二の並列共振回路とを設け、前記中間周波同調回路を前記二つの出力端子間に接続し、前記第二の出力端子と前記第二の入力端子との間に前記第二の並列共振回路を介挿した。
【００１９】
また、前記バラクタダイオードに並列に接続されるコンデンサを前記集積回路内に構成し、前記第一の出力端と前記第一の入力端との間に接続した。
【００２０】
【発明の実施の形態】
以下、本発明のテレビジョンチューナを図１に従って説明する。集積回路１内には混合器２、中間周波増幅器３が構成される。混合器２は平衡回路で構成され、その平衡出力端は集積回路１に設けた二つの出力端子１ａ、１ｂに接続される。混合器２には、図示しない同調回路によって選択されたテレビジョン信号ＲＦと、図示しない局部発振器から出力された局部発振信号Ｌｏとが入力され、中間周波数帯に周波数変換されたテレビジョン信号が二つの出力端子１ａ、１ｂ間に出力される。
【００２１】
また、中間周波増幅器３も平衡回路で構成され、初段には二つのトランジスタ３ａ、３ｂが設けられる。集積回路１には中間周波増幅器３の平衡入力端に結合される入力端子１ｃ、１ｄが設けられる。そして平衡入力端の一方である初段のトランジスタ３ａのベースは集積回路１内に構成された結合コンデンサ３ｃを介して一方の入力端子１ｃに接続される。また、他方の平衡入力端となる初段のトランジスタ３ｂのベースは他方の入力端子１ｄに接続される。
【００２２】
集積回路１の外部に設けられた中間周波同調回路４は容量素子４ａと、直列接続された二つのインダクタンス素子４ｂ、４ｃとからなる並列回路で構成され、出力端子１ａ、１ｂ間に接続される。中間周波同調回路４は中間周波数帯における映像中間周波数と音声中間周波数とのほぼ中心周波数に同調するように設定される。そして、二つのインダクタンス素子４ｂ、４ｃの接続点に印加された電源電圧Ｂが平衡出力端１ａ、１ｂを介して混合器２に給電される。電源電圧は集積回路１に設けられた電圧端子１ｅにも印加される。
【００２３】
また、集積回路１の外部には二つの並列共振回路５、６が設けられる。第一の並列共振回路５はバラクタダイオード５ａとインダクタンス素子５ｂとの並列回路で構成される。インダクタンス素子５ｂに直列に介挿された直流カットコンデンサ５ｃはバラクタダイオード５ａのアノードとカソードとを直流的に絶縁する。第一の並列共振回路５は一方の出力端子１ａと一方の入力端子１ｃとの間に介挿されるが、バラクタダイオード５ａのアノードは入力端子１ｃに接続され、カソードは出力端子１ａに接続される。この結果バラクタダイオード５ａのカソードには所定のバイアス電圧が印加される。
【００２４】
第二の並列共振回路６もインダクタンス素子６ａと容量素子６ｂとの並列回路で構成され、その一端は直流カットコンデンサ６ｃを介して他方の入力端子１ｄに接続され、他端は他方の出力端子１ｂに接続される。
これら二つの並列共振回路５、６はその共振周波数によって中間周波数帯の下側と上側とに隣接するチャンネルのそれぞれの映像中間周波信号と音声中間周波信号とを減衰して妨害を除去するトラップ回路として機能する。従って共振周波数はトラップ周波数となるが共振周波数は適用されるテレビジョンシステム等によって設定される。共振周波数の設定については後述する。
【００２５】
一方、集積回路１内には分圧回路７が構成される。分圧回路７は直列接続された二つの分圧抵抗７ａ、７ｂを有し、分圧抵抗７ａは電圧端子１ｅと一方の入力端子１ｃとの間に接続され、分圧抵抗７ｂは一方の入力端子１ｃとグランドとの間に接続される。分圧抵抗７ａ、７ｂの接続点からは分圧電圧が得られ、此がバラクタダイオードのアノードに印加される。従って、バラクタダイオード５ａのアノードにはカソードよりも低い分圧電圧が印加される。また、分圧回路７は集積回路１内に構成されたスイッチトランジスタ７ｃ、７ｄとそれらのコレクタに接続された抵抗７ｅ、７ｆとを有する。スイッチトランジスタ７ｃ、７ｄの各エミッタは接地され、コレクタはそれぞれ抵抗７ｅ、７ｆを介して二つの分圧抵抗７ａ、７ｂの接続点に接続される。
【００２６】
スイッチトランジスタ７ｃ、７ｄのベースには図示しないスイッチ手段等によってハイレベル又はローレベルの電圧が別々に入力されるようになっている。これによってスイッチトランジスタ７ｃ、７ｄはオン又はオフとなる。従って、バラクタダイオード５ａのアノードの電圧はスイッチトランジスタ７ｃ、７ｄのオン又はオフの状態によって変化する。
【００２７】
さらに、集積回路１内には第一の並列共振回路５の一部を構成するコンデンサ５ｄが構成され、バラクタダイオード５ａに並列接続されるように一方の入力端子１ａと出力端子１ｃとの間に接続される。
【００２８】
以上の構成において、混合器２から出力された中間周波数帯の信号は中間周波同調回路４、並列共振回路５、６を介して中間周波増幅器３に入力される。混合器２と中間周波増幅器３との間の伝送特性は中間周波同調回路４、並列共振回路５、６によって決定されるが、中間周波同調回路４は前述したように、中間周波数帯のほぼ中心の周波数に同調している。また、二つの並列共振回路５、６の共振周波数はテレビジョン方式やシステムに対応して隣接する他のチャンネルからの妨害を除去するように設定される。
【００２９】
ここで、１例として欧州仕様のテレビジョン方式（ＰＡＬ方式）における各システムの中間周波数帯の周波数関係を図２によって説明する。各システムにおける映像中間周波数（Ｐ）は３９．８ＭＨｚと共通であるが、中間周波数帯域幅と音声中間周波数（Ｓ）とは各システムによって異なる。
【００３０】
先ず、図２のＡはいわゆるＢシステム（Ｂ／ＰＡＬ）であり、中間周波数帯の帯域幅は７ＭＨｚ、音声中間周波数は３３．４ＭＨｚである。従って、中間周波数帯の下側に隣接するチャンネルの映像中間周波数（−Ｐ）は３１．９ＭＨｚとなり、上側に隣接するチャンネルの音声中間周波数（＋Ｓ）は４０．４ＭＨｚとなる。
図２のＢはいわゆるＧシステム（Ｇ／ＰＡＬ）であり、帯域幅は８ＭＨｚ、音声中間周波数は同じく３３．４ＭＨｚである。従って、中間周波数帯の下側に隣接するチャンネルの映像中間周波数（−Ｐ）は３０．９ＭＨｚとなり、上側に隣接するチャンネルの音声中間周波数（＋Ｓ）は４１．４ＭＨｚとなる。
【００３１】
図２のＣはいわゆるＩシステム（Ｉ／ＰＡＬ）であり、帯域幅は８ＭＨｚ、音声中間周波数は３２．９ＭＨｚである。従って、中間周波数帯の下側に隣接するチャンネルの映像中間周波数（−Ｐ）は３０．９ＭＨｚとなり、上側に隣接するチャンネルの音声中間周波数（＋Ｓ）は４０．９ＭＨｚとなる。
さらに、図２のＤはいわゆるＤ及びＫシステム（Ｄ・Ｋ／ＰＡＬ）であり、帯域幅は８ＭＨｚ、音声中間周波数は３２．４ＭＨｚである。従って、中間周波数帯の下側に隣接するチャンネルの映像中間周波数（−Ｐ）は３０．９ＭＨｚとなり、上側に隣接するチャンネルの音声中間周波数（＋Ｓ）は４０．４ＭＨｚとなる。
【００３２】
そこで、第一の並列共振回路５のバラクタダイオード５ａのアノードの電圧を変えることで、その共振周波数によって各システムにおける中間周波数帯域の下側に隣接するチャンネルの各映像中間周波数（−Ｐ）を減衰するようにする。
【００３３】
そのためには、例えば電源電圧Ｂを５ボルトとし、分圧抵抗７ａ、７ｂをそれぞれ５ｋΩ（キロオーム）、２２．８ｋΩ、抵抗７ｅ、７ｆをそれぞれ１４．５ｋΩ、１４．５ｋΩに設定する。
そして、テレビジョン受信機がＢ／ＰＡＬシステム仕様であれば、スイッチトランジスタ７ｃ、７ｄを共にオンとする。すると、分圧抵抗７ａ、７ｂの接続点の分圧電圧（一方の入力端子１ｃの電圧であってバラクタダイオード５ａのアノードの電圧）は２．６ボルトとなって第一の並列共振回路５の共振周波数（コンデンサ５ｄを含む共振周波数である、以下同じ）はほぼ３１．４ＭＨｚとなり、下側に隣接するチャンネルの映像中間周波数（−Ｐ＝３１．９ＭＨｚ）の若干下側となる。此によって受信チャンネルの音声中間周波信号（Ｓ）に影響を与えないで下側に隣接するチャンネルの映像中間周波信号を減衰することが出来る。
【００３４】
また、テレビジョン受信機がＧ／ＰＡＬ及びＩ／ＰＡＬシステム仕様であれば、スイッチトランジスタ７ｃ、７ｄの一方をオンとし、他方をオフとする。すると、分圧電圧は３．２ボルトとなって第一の並列共振回路５の共振周波数はほぼ３０．９ＭＨｚとなり、下側に隣接するチャンネルの映像中間周波数（−Ｐ＝３０．９ＭＨｚ）に一致する。この時は共振周波数を下側に隣接するチャンネルの映像中間周波数に一致させても、受信チャンネルの音声中間周波数（Ｓ）とは比較的離れているので、受信チャンネルの音声中間周波信号に影響を与えないで下側に隣接するチャンネルの映像中間周波信号を減衰することが出来る。
【００３５】
さらに、テレビジョン受信機がＤ／ＰＡＬ及びＫ／ＰＡＬシステム仕様であれば、スイッチトランジスタ７ｃ、７ｄを共にオフとする。すると、分圧電圧は４．１ボルトとなって第一の並列共振回路５の共振周波数はほぼ２９．９ＭＨｚとなり、下側に隣接するチャンネルの映像中間周波数（−Ｐ＝３０．９ＭＨｚ）よりも１ＭＨｚ低くなる。この時は共振周波数が受信チャンネルの音声中間周波数とは比較的離れるので、受信チャンネルの音声中間周波信号に影響を与えないで下側に隣接するチャンネルの映像中間周波信号を減衰することが出来る。
【００３６】
以上のように、分圧回路７に設けたスイッチトランジスタ７ｃ、７ｄのオン又はオフの設定によって、いずれのシステムに対しても下側に隣接するチャンネルの映像中間周波信号による妨害に対応できる。なお、第一の共振回路５にはバラクタダイオード５ａに並列にコンデンサ５ｄが接続されるので、５ボルト以下の小さな電圧を用いても互いに近い共振周波数の設定が容易である。
【００３７】
第一の並列共振回路５の共振周波数は上記の通りに設定する必要はなく、下側に隣接するチャンネルの映像中間周波数と受信チャンネルの中間周波数帯における音声中間周波数との周波数間隔によって適宜に設定すればよいが、下側に隣接するチャンネルの映像中間周波数に合わせるかそれよりも低くするのがよい。しかし１ＭＨｚ以内に収めるのがよい。
【００３８】
なお、第二の並列共振回路６の共振周波数は中間周波数帯域の上側に隣接するチャンネルの音声中間周波数（＋Ｓ）以上で１ＭＨｚ以内（４０．４ＭＨｚ〜４１．４ＭＨｚ）に設定するのが良い。
【００３９】
【発明の効果】
以上説明したように、本発明では、混合器と中間周波増幅器との間に介挿された第一の並列共振回路は少なくともバラクタダイオードとインダクタンス素子とを有し、バラクタダイオードの両端に複数の値の電圧のいずれかが印加可能に構成し、電圧によって第一の並列共振回路の共振周波数を中間周波数帯の下側に隣接するチャンネルのいずれかのテレビジョンシステムの映像中間周波数の近傍に設定出来るようにしたので、方式あるいはシステムの異なる他のテレビジョン信号を受信する際にも中間周波数帯における映像中間周波信号による妨害を避けることが出来る。この結果、同一のテレビジョンチューナを用いて方式の異なるテレビジョン受信機が構成できる。また、バラクタダイオードのカソードには所定のバイアス電圧を印加し、バイアス電圧を分圧して値の異なる複数の分圧電圧を出力する分圧回路を設け、分圧電圧のいずれかを前記バラクタダイオードのアノードに印加したので、簡単に共振周波数の切替ができる。また、分圧回路はバイアス電圧が両端に印加された直列接続の二つの分圧抵抗と、エミッタが接地された複数のスイッチトランジスタとを有し、スイッチトランジスタのコレクタをそれぞれ抵抗を介して二つの分圧抵抗の接続点に接続したので、スイッチトランジスタのオン／オフの設定だけで共振周波数を変えるための電圧を簡単に作れる。
【００４０】
また、共振周波数を下側に隣接するチャンネルの映像中間周波数よりも１ＭＨｚ以内で低くしたので、受信するチャンネルの中間周波数帯における音声中間周波信号に影響しないで他のチャンネルの映像中間周波信号を減衰できる。
【００４２】
また、バラクタダイオードに並列にコンデンサを接続したので、互いの共振周波数が近くても小さなバイアス電圧を用いて切り替えられる。
【００４４】
また、混合器と中間周波増幅器とを構成する集積回路を設け、集積回路には混合器の第一の出力端に結合された第一の出力端子と、前記中間周波増幅器の第一の入力端に結合された第一の入力端子と、前記バイアス電圧が印加される電圧端子とを設け、第一の並列共振回路のバラクタダイオードのアノードを第一の入力端子に接続すると共にカソードを第一の出力端子に接続し、集積回路内には電圧端子と第一の入力端子との間に接続された分圧抵抗の一方と、第一の入力端子とグランドとの間に接続された分圧抵抗の他方及びスイッチトランジスタと抵抗との直列回路と、第一の入力端子と中間周波増幅器の第一の入力端とを接続する結合コンデンサを設けたので、集積回路内の分圧回路から直接バラクタダイオードのアノードに電圧を印加できる。
【００４５】
また、混合器と中間周波増幅器とを平衡回路で構成し、集積回路の外部には中間周波数帯に同調する中間周波同調回路と中間周波数帯の上側に隣接するチャンネルの音声中間周波数に同調する第二の並列共振回路とを設け、中間周波同調回路を二つの出力端子間に接続し、第二の出力端子と第二の入力端子との間に第二の並列共振回路を介挿したので、中間周波同調回路と二つの並列共振回路とをスペース的に集中して配設できる。
【００４６】
また、バラクタダイオードに並列に接続されるコンデンサを集積回路内に構成し、第一の出力端と第一の入力端との間に接続したので、集積回路の外部の部品の増加を抑えられる。
【図面の簡単な説明】
【図１】本発明のテレビジョンチューナの構成を示す回路図である。
【図２】本発明のテレビジョンチューナのトラップ周波数を設定するための各テレビジョン方式における周波数関係図である。
【図３】従来のテレビジョンチューナの構成を示す回路図である。
【図４】従来のテレビジョンチューナのトラップ周波数を設定するための各テレビジョン方式における周波数関係図である。
【符号の説明】
１  集積回路
１ａ、１ｂ  出力端子
１ｃ、１ｄ  入力端子
１ｅ  電圧端子
２  混合器
３  中間周波増幅器
３ａ、３ｂ  初段のトランジスタ
３ｃ  結合コンデンサ
４  中間周波同調回路
４ａ  容量素子
４ｂ、４ｃ  インダクタンス素子
５  第一の並列共振回路
５ａ  バラクタダイオード
５ｂ  インダクタンス素子
５ｃ  直流カットコンデンサ
５ｄ  コンデンサ
６  第二の並列共振回路
６ａ  インダクタンス素子
６ｂ  容量素子
６ｃ  直流カットコンデンサ
７  分圧回路
７ａ、７ｂ  分圧抵抗
７ｃ、７ｄ  スイッチトランジスタ
７ｅ、７ｆ  抵抗
【図１】
0003934406.tif 000002
【図２】
0003934406.tif 000003
【図３】
0003934406.tif 000004
【図４】
0003934406.tif 000005